(57)【要約】      （修正有）【課題】高密度光ディスクの判別を容易に行うことができる光ディスク装置を提供する。【解決手段】光ディスク装置１０の光ピックアップ１０３は、光ディスクに記録された信号を読み出す。エンベロープ信号生成部１０４は、光ピックアップが読み出した信号からエンベロープ信号を生成する。オフトラックレベル記憶部１０５は、オフトラックレベルを記憶する。オフトラック信号生成部１０６は、エンベロープ信号生成部が生成するエンベロープ信号を、オフトラックレベル記憶部が記憶するオフトラックレベルで二値化してオフトラック信号を生成する。判別部１０９は、オフトラック信号生成部が生成するオフトラック信号に基づいて、光ディスクが標準密度光ディスクであるか前記標準密度よりも線密度が高い高密度光ディスクであるかを示すディスク判別信号を出力する。【選択図】図１
2014197439.tif 000002
【特許請求の範囲】
【請求項１】
光ディスクに記録された信号を読み出す光ピックアップと、
前記光ピックアップが読み出した信号からエンベロープ信号を生成するエンベロープ信号生成部と、
オフトラックレベルを記憶するオフトラックレベル記憶部と、
前記エンベロープ信号生成部が生成するエンベロープ信号を前記オフトラックレベル記憶部が記憶するオフトラックレベルで二値化してオフトラック信号を生成するオフトラック信号生成部と、
前記オフトラック信号生成部が生成するオフトラック信号に基づいて、前記光ディスクが標準密度光ディスクであるか前記標準密度よりも線密度が高い高密度光ディスクであるかを示すディスク判別信号を出力する判別部と
を備えることを特徴とする光ディスク装置。
【請求項２】
前記オフトラックレベル記憶部は、
判別用オフトラックレベルと、前記判別用オフトラックレベルとは異なる再生用オフトラックレベルとを記憶し、
前記オフトラック信号生成部は
前記光ディスクが標準密度光ディスクであるか高密度光ディスクであるかを判別するときは判別用オフトラックレベルを読み出してオフトラック信号を生成し、
前記光ディスクを再生するときは再生用オフトラックレベルを読み出してオフトラック信号を生成する
ことを特徴とする請求項１に記載の光ディスク装置。
【請求項３】
前記判別用オフトラックレベルは、
前記再生用オフトラックレベルよりもエンベロープ信号の中心値からの偏移が大きい値であり、
前記判別部は
前記オフトラック信号のデューティー比に応じてディスク判別信号を出力する
ことを特徴とする請求項２に記載の光ディスク装置。
【請求項４】
光ディスクに記録された信号を読み出す読み出しステップと、
前記読み出しステップで読み出した信号からしてエンベロープ信号を生成するエンベロープ信号生成ステップと、
記憶部に記憶されたオフトラックレベルを読み出す読み出しステップと、
前記エンベロープ信号生成ステップで生成されたエンベロープ信号を前記読み出しステップで読み出されたオフトラックレベルで二値化してオフトラック信号を生成するオフトラック信号生成ステップと、
前記オフトラック信号生成ステップで生成されたオフトラック信号に基づいて、前記光ディスクが標準密度光ディスクであるか前記標準密度よりも線密度が高い高密度光ディスクであるかを示すディスク判別信号を出力する判別ステップと
を含むことを特徴とする光ディスク装置における光ディスク判別方法。
【発明の詳細な説明】
【技術分野】
【０００１】
本発明は、光ディスクが標準密度光ディスクであるか標準密度よりも線密度が高い高密度光ディスクであるかの判別を行う光ディスク装置および光ディスク判別方法に関する。
【背景技術】
【０００２】
光ディスクの記録フォーマットを大幅に変更することなく記録密度を高めるため、トラックピッチを狭めたり記録ピットの最短長を短くして線密度を高くした高密度光ディスクが知られている。たとえば、ＣＤの規格書オレンジブックに規定されたＣＤ−Ｒの記憶容量は最大７００ＭＢ（音楽用で８０分）であるが、これを超える、たとえば９９分メディアと呼ばれる高密度光のＣＤ−Ｒが販売されている。また、これに対応したガイドライン（High Capacity Recordable Disc (HCRD) 1.0）も策定されている。このような高密度光ディスクを適切に再生するためには、高密度光ディスクに特有な信号処理やハードウェアの制御を行うことが望ましい。そのため、光ディスク装置では、高密度光ディスクの判別を速やかに、また簡単に行うことが望まれる。
そこで、光ディスクを再生して得られたエンベロープ信号から、符号間干渉量によってレベルが変化する判別量を求め、この判別量に基づき高密度光ディスクを判別する光ディスク装置が提案されている（たとえば、特許文献１参照）。
【先行技術文献】
【特許文献】
【０００３】
【特許文献１】特開２００１−２０２６８０号公報
【発明の概要】
【発明が解決しようとする課題】
【０００４】
しかしながら特許文献１に記載の光ディスク装置は、エンベロープ信号の波形から、ピークレベルと干渉のあるときのボトムレベルと干渉のないときのボトムレベルとを求めて判別量を演算して判別を行っており、判別のための特別の計測や演算を行う必要がある。このように従来の光ディスク装置では、高密度光ディスクの判別が容易ではないという問題があった。
【０００５】
そこで本発明の課題は、高密度光ディスクの判別を容易に行うことができる光ディスク装置および光ディスク判別方法を提供するものである。
【課題を解決するための手段】
【０００６】
上記の課題を解決するために、本願発明は以下の装置を提供するものである。
１）光ディスクに記録された信号を読み出す光ピックアップ（１０３）と、光ピックアップが読み出した信号からエンベロープ信号を出力するエンベロープ信号生成部（１０４）と、オフトラックレベルを記憶するオフトラックレベル記憶部（１０５）と、エンベロープ信号生成部が出力するエンベロープ信号を、オフトラックレベル記憶部が記憶するオフトラックレベルで二値化してオフトラック信号を生成するオフトラック信号生成部（１０６）と、オフトラック信号生成部が生成するオフトラック信号に基づいて、光ディスクが標準密度光ディスクであるか標準密度よりも線密度が高い高密度光ディスクであるか否かを示すディスク判別信号を出力する判別部（１０９）とを備えることを特徴とする光ディスク装置。
２） 光ディスクに記録された信号を読み出してエンベロープ信号を生成するエンベロープ信号生成ステップ（ステップＳ３０５）と、記憶部に記憶されたオフトラックレベルを読み出す読み出しステップ（ステップＳ３０５）と、エンベロープ信号生成ステップで生成されたエンベロープ信号を記憶部に記憶されたオフトラックレベルで二値化してオフトラック信号を生成するオフトラック信号生成ステップ（ステップＳ３０６）と、オフトラック信号生成ステップで生成されたオフトラック信号に基づいて、光ディスクが標準密度光ディスクであるか標準密度よりも線密度が高い高密度光ディスクであるかを示すディスク判別信号を出力する判別ステップ（ステップＳ３０７、Ｓ３０８）とを含むことを特徴とする光ディスク装置における光ディスク判別方法。
【発明の効果】
【０００７】
本発明によれば、高密度光ディスクの判別を容易に行うことができる光ディスク装置および光ディスク判別方法を提供することができる。
【図面の簡単な説明】
【０００８】
【図１】本発明の実施形態による光ディスク装置のブロック構成図である。
【図２】本発明の実施形態による光ディスク装置におけるエンベロープ信号とオフトラックレベル信号の例である。
【図３】本発明の実施形態による光ディスク装置における高密度光ディスクの判別の手順を示すフローチャートである。
【発明を実施するための形態】
【０００９】
[光ディスク装置の構成]
以下、本発明の実施の形態による光ディスク装置を、図を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。また既に説明したものと同一部分ならびに同一事項には同一符号、番号を付し、重複する説明は省略する。
【００１０】
図１は、本発明の実施の形態による光ディスク装置の構成を示すブロック構成図である。図１において、光ディスク装置１０のスピンドルモータ１０２は、光ディスク１０１を回転させる。光ピックアップ１０３は、光ディスク１０１にレーザ光を照射し、その反射光を受光してＲＦ信号を生成する。エンベロープ信号生成部１０４は、光ピックアップ１０３が生成したＲＦ信号を基に、エンベロープ信号を生成する。
【００１１】
オフトラックレベル記憶部１０５は、再生用オフトラックレベル信号と、判別用オフトラックレベル信号とを記憶する。オフトラック信号生成部１０６は、オフトラックレベル記憶部１０５が記憶する再生用オフトラックレベル信号または判別用オフトラックレベル信号のいずれかを読み出し、読み出したオフトラックレベル信号をしきい値として、エンベロープ信号を二値化したオフトラック信号を生成する。生成されたオフトラック信号は、シークの際に横断するトラック本数のカウントや、オフトラック時のＰＬＬホールド等に用いられる。
【００１２】
オフトラック信号は、レーザ光による光ディスク１０１上のビームスポットがトラック上にあるときはハイ、トラックから外れているときはローの信号が出力される。そのため、ビームスポットがトラックを横断するたびに、オフトラック信号がハイとローとに切り替わる。
【００１３】
フォーカスサーボ部１０７は、光ピックアップ１０３のフォーカスサーボを行う。トラバース駆動部１０８は、光ピックアップ１０３を光ディスク１０１の半径方向に移動させる。
【００１４】
図２は、エンベロープ信号から所定のオフトラックレベル信号を用いて生成したオフトラック信号を示す模式図である。図２（ａ）は、標準密度光ディスクのエンベロープ信号２０１ａに対して、オフトラックレベル記憶部１０５が記憶する再生用オフトラックレベル信号２０２ａを用いて生成した、標準密度光ディスクの再生時のオフトラック信号２０３ａの例である。オフトラックレベル記憶部１０５は、再生時は再生用オフトラックレベル信号２０２ａを出力する。
【００１５】
ＲＦ信号は、ディスク装置が再生する様々なディスクの種類によるレーザ特性や光ディスクからの反射光量、トラックピッチ等の違いや、再生時の環境や経時変化の影響により変化する。したがってエンベロープ信号の振幅やＤＣレベルも変化する。オフトラック信号は、前述のように、シークの際に横断するトラック本数のカウントや、オフトラック時のＰＬＬホールド等に用いられる信号であるので、レーザ光のビームスポットのオフトラック状態を正確に表す必要がある。したがって、再生用オフトラックレベル信号２０２ａは、標準的なエンベロープ信号のほぼ中心値になるよう設定されている。これにより、エンベロープ信号の振幅やＤＣレベルが変化しても、オフトラック信号のデューティー比は大きく変化することがなく、レーザ光のビームスポットのオフトラック状態を正確に表すことができる。
[高密度ディスクの判別方法]
【００１６】
次に、本実施の形態による光ディスク装置の判別の手順について、図３のフローチャートに基づき説明する。光ディスク装置１０に光ディスク１０１が挿入されると、制御部１０９は各部を判別モードとして動作させる。最初にディスクローディングが行われて光ディスク１０１がローディングされる（ステップＳ３０１）。続いてディスクチャッキングが行われ、光ディスク１０１がチャッキングされる（ステップＳ３０２）。ディスクチャッキングが行われると、スピンドルモータ１０２が光ディスク１０１を回転させるとともに、光ピックアップ１０３は、回転する光ディスク１０１にレーザ光を照射し、フォーカスサーボ部１０７はフォーカスサーボを開始する（ステップＳ３０３）。そしてトラバース駆動部１０８は、光ピックアップ１０３を光ディスク１０１の外周から内周に向け、半径方向に移動させる（ステップＳ３０４）。
【００１７】
オフトラック信号生成部１０６は、オフトラックレベル記憶部１０５から判別用オフトラックレベル信号を読み出す（ステップＳ３０５）。そして判別用オフトラックレベル信号をしきい値として、エンベロープ信号を二値化したオフトラック信号を生成する（ステップＳ３０６）。オフトラックレベル記憶部１０５が記憶する判別用オフトラックレベル信号は、高密度光ディスクの判別のためのオフトラックレベル信号であり、図２（ａ）に示した、再生用オフトラックレベル信号２０２ａとは異なる値である。
【００１８】
判別用オフトラックレベル信号について、図２（ｂ）および図２（ｃ）を用いて説明する。図２（ｂ）は、標準密度光ディスクのエンベロープ信号２０１ａに対して、オフトラックレベル記憶部１０５が記憶する判別用オフトラックレベル信号２０２ｂを用いて生成した、標準密度光ディスクの判別時のオフトラック信号２０３ｂの例である。
【００１９】
前述のように再生用オフトラックレベル信号２０２ａは、エンベロープ信号の中心値に近い値であり、これによって生成されたオフトラック信号は、ビームスポットのオフトラック状態を正確に表している。これに対し判別用オフトラックレベル信号２０２ｂは、エンベロープ信号の中心値から外れた値であり、本実施形態では、図２（ｂ）に示すようにエンベロープ信号の中心値よりも高い値としている。一般に、高密度光ディスクはトラックの幅が狭いため、エンベロープ信号の振幅が小さい。したがってエンベロープ信号を、中心値から外れたオフトラックレベル信号で二値化すれば、振幅が変化するとデューティー比が大きく変化することとなる。
【００２０】
図２（ｃ）は、高密度光ディスクのエンベロープ信号２０１ｂに対して、判別用オフトラックレベル信号２０２ｂを用いて生成した、高密度光ディスクの判別時のオフトラック信号２０３ｃの例である。図から明らかなように、図２（ｃ）に示す高密度光ディスクの判別時のオフトラック信号２０３ｃは、図２（ｂ）に示す標準密度光ディスクの判別時のオフトラック信号２０３ｂよりも、Ｈｉの比率が小さい。すなわち、デューティー比が小さい。
【００２１】
このように、高密度光ディスクではエンベロープ信号の振幅が小さいので、オフトラック信号のデューティー比が小さくなる。判別用オフトラックレベル信号２０２ｂを、再生用オフトラックレベル信号２０２ａと異なる値とすることにより、高密度光ディスクの判別を容易にしている。
【００２２】
オフトラック信号生成部１０６が生成するオフトラック信号は、制御部１０９へ送られる。制御部１０９は、送られたオフトラック信号に基づいて、高密度光ディスクの判別を行う。具体的には制御部１０９は、オフトラック信号のデューティー比が所定のしきい値よりも小さいかどうかを確認し（ステップＳ３０７）、小さい場合は高密度光ディスクであると判別する。なお、判別用オフトラックレベル信号をエンベロープ信号の中心値よりも低い値としたときは、デューティー比がしきい値よりも大きいことを判別すればよい。
【００２３】
高密度光ディスクの判別が完了したら、制御部１０９は判別モードから再生モードに移行して、高密度光ディスクの判別信号を各部に送り、高密度光ディスクのための設定を行わせる（ステップＳ３０８）。高密度光ディスクのための設定とは、高密度光ディスクに特有な信号処理やハードウェアの制御であり、周知の技術であるのでここでは説明を省略する。
ステップＳ３０７でデューティー比が所定の値よりも小さくない場合は、標準密度光ディスクであると判別し、標準密度光ディスクのため設定を行う（ステップＳ０９）。あるいは、各部の初期設定を標準密度光ディスクのための設定としておき、制御部１０９は標準密度光ディスクと判別したときはなにも行わないよう構成してもよい。
【００２４】
オフトラック信号生成部１０６は、再生モードでは、オフトラックレベル記憶部１０５から再生用オフトラックレベル信号２０２ａを読み出す（ステップＳ３１０）。そして再生用オフトラックレベル信号２０２ａをしきい値として、エンベロープ信号を二値化したオフトラック信号を生成する（ステップＳ３１１）。以上のような処理を行った後、再生を開始する（ステップＳ３１２）。
【００２５】
再生用オフトラックレベル信号２０２ａは、前述のように、標準的なエンベロープ信号のほぼ中心値であるので、エンベロープ信号の振幅やＤＣレベルが変化しても、レーザ光のビームスポットのオフトラック状態を正確に表すことができる。オフトラック信号生成部１０６は、生成したオフトラック信号を制御部１０９へ送るので、制御部１０９はこれを元に種々の制御を行う。
【００２６】
以上のように、光ピックアップ１０３とエンベロープ信号生成部１０４は、光ディスク１０１に記録された信号を読み出してエンベロープ信号を生成するエンベロープ信号生成部として機能し得る。また、制御部１０９は、オフトラック信号生成部１０６が生成するオフトラック信号に基づいて、光ディスクが標準密度光ディスクであるか標準密度よりも線密度が高い高密度光ディスクであるかを示すディスク判別信号を生成する判別部として機能し得る。
【００２７】
本発明の光ディスク装置では、判別時にオフトラックレベル信号を切り替えることにより、再生時に用いるオフトラック信号を高密度光ディスクの判別にも用いることができる。これにより、判別に特別な回路を設けたり、特別な処理を行ったり、特別な演算を行う必要がない。したがって、高密度光ディスクの判別を容易に行うことができる。
【符号の説明】
【００２８】
１０１  光ディスク
１０２  スピンドルモータ
１０３  光ピックアップ
１０４  エンベロープ信号生成部
１０５  オフトラックレベル記憶部
１０６  オフトラック信号生成部
１０７  フォーカスサーボ部
１０８  トラバース駆動部
１０９  制御部
【図１】
2014197439.tif 000003
【図２】
2014197439.tif 000004
【図３】
2014197439.tif 000005